(57)【特許請求の範囲】
【請求項１】
２軸式トルク測定装置において、１つの支持ベースと、２つのトルク歪み検知軸と、を含み、
２つのトルク歪み検知軸は、それぞれ該支持ベースに設けられ、一方の該トルク歪み検知軸は軸方向に該支持ベースに平行に固定され、他方の該トルク歪み検知軸は、前記一方の該トルク歪み検知軸と非同軸方向に設定され、且つ該支持ベースに対して一定の角度で該支持ベースに固定され、該角度は０度〜１８０度であり、各該トルク歪み検知軸それぞれはトルク値を検知するためのトルク検知部を有する２軸式トルク測定装置。
【請求項２】
該角度は４５度である請求項１に記載の２軸式トルク測定装置。
【請求項３】
該角度は９０度である請求項１に記載の２軸式トルク測定装置。
【請求項４】
２軸式トルク測定装置において、支持ベースと、第１のトルク歪み検知軸と、第２のトルク歪み検知軸と、を含み、
第１のトルク歪み検知軸は、第１のトルク検知部および第１の支持部を有し、該第１のトルク検知部が第１のトルク値を検知することに用いられ、該第１の支持部が該支持ベースに固定され、該第１のトルク歪み検知軸を軸方向に該支持ベースに平行に固定するために用いられ、
第２のトルク歪み検知軸は、第２のトルク検知部および第２の支持部を有し、該第２のトルク検知部が第２のトルク値を検知することに用いられ、該第２の支持部が該支持ベースに対して９０度の角度で該支持ベースに固定され、該第２の支持部により該第２のトルク歪み検知軸が該支持ベースに対して９０度の角度で該支持ベースに固定される２軸式トルク測定装置。
【請求項５】
該第１の支持部は該第２の支持部に対応して嵌め込み溝が設けられ、該第２の支持部を当接・設置するために用いられる請求項４に記載の２軸式トルク測定装置。
【請求項６】
ハウジングをさらに含み、該ハウジングが該支持ベースをカバーし、かつ該ハウジングには２つの設定孔が設けられて、該第１のトルク歪み検知軸および該第２のトルク歪み検知軸が貫通して露出する請求項４に記載の２軸式トルク測定装置。
【請求項７】
制御回路と、表示画面と、複数のコントロールキーと、をさらに含み、
制御回路は、該ハウジングに設けられ、かつ該第１のトルク検知部、および該第２のトルク検知部に接続し、
表示画面は、該ハウジングに設けられ、かつ該制御回路に電気接続し、該第１のトルク値、および該第２のトルク値を表示し、
複数のコントロールキーは、該ハウジングに設けられ、かつ該制御回路に電気接続し、該制御回路を切り替えて該第１のトルク検知部および該第２のトルク検知部のトルク検知方向を選択する請求項６項に記載の２軸式トルク測定装置。
【請求項８】
２軸式トルク測定装置において、支持ベースと、第１のトルク歪み検知軸と、第２のトルク歪み検知軸と、を含み
第１のトルク歪み検知軸は、第１のトルク検知部および第１の支持部を有し、該第１のトルク検知部が第１のトルク値を検知することに用いられ、該第１の支持部が該支持ベースに固定され、該第１のトルク歪み検知軸を軸方向に該支持ベースに平行に固定するために用いられ、
第２のトルク歪み検知軸は、第２のトルク検知部および第２の支持部を有し、該第２のトルク検知部が第２のトルク値を検知することに用いられ、該第２の支持部が該支持ベースに固定され、該第２の支持部により該第２のトルク歪み検知軸が該支持ベースに対して４５度の角度で該支持ベースに固定される２軸式トルク測定装置。
【請求項９】
該第１の支持部には該第２の支持部に対応して、該第２の支持部を当接・設置するための嵌め込み溝が設けられる請求項８に記載の２軸式トルク測定装置。
【請求項１０】
ハウジングをさらに含み、該ハウジングは該支持ベースに固定され、かつ該ハウジングには該第１のトルク歪み検知軸および該第２のトルク歪み検知軸が貫通して露出するための２つの設定孔が設けらる請求項８に記載の２軸式トルク測定装置。
【請求項１１】
制御回路と、表示画面と、複数のコントロールキーと、を含み、
制御回路は、該ハウジングに設けられ、かつ該第１のトルク検知部および該第２のトルク検知部に接続され、
表示画面は、該ハウジングに設けられ、かつ該制御回路に電気接続し、該第１のトルク値および該第２のトルク値を表示し、
複数のコントロールキーは、該ハウジングに設けられ、かつ該制御回路に電気接続し、該制御回路を切り替えて該第１のトルク検知部および該第２のトルク検知部のトルク検知方向を選択する請求項１０に記載の２軸式トルク測定装置。
【発明の詳細な説明】
【技術分野】
【０００１】
本発明はトルク測定装置に関し、特に２軸式トルク測定装置に関する。
【背景技術】
【０００２】
航空機械分野または比較的精密な機械設備では、使用者は必ずトルク値を正確に制御し、適切にスクリューや、ボルトなどの締め具を締めるので、定期にスパナや、スクリュードライバーなどに対してトルクの正確性を調整し、トルク校正などのメンテナンスを行う必要がある。
【０００３】
トルク測定装置は、測定が正確になり、使用者が力を加えやすいように、ワークテーブルに固定される場合が多いが、いつでもどこでも測定する利便性を実現するために、現在のトルク測定装置は携帯式またはトルクスリーブに取付けて接続可能なタイプまである。
【０００４】
しかし、前記トルク測定装置は単一のトルク歪み軸を有するだけであり、単一のトルク値を測定することが多い。互いに異なる二種のサイズのトルク歪み軸を有する既存技術は、二種のサイズのトルク歪み軸を利用して異なるトルク値を測定することができるが、その二種のサイズのトルク歪み軸が同様に単一の軸方向であり、操作する際にお互いに干渉してしまい、かつ体積が比較的大きい。そのため、本発明者はトルク測定装置の構成を改良し、２軸式トルク測定装置を提供し、使用者が同時に２つのトルク値を測定することを便利にする。
【発明の概要】
【発明が解決しようとする課題】
【０００５】
本発明は非同軸方向に設定された２つのトルク歪み検知軸を利用し、使用者が異なる角度からトルク値を測定することができる２軸式トルク測定装置を提供することを目的とする。
【０００６】
本発明の一実施形態は、２軸式トルク測定装置であって、１つの支持ベース、および２つのトルク歪み検知軸を含む。なお、２つのトルク歪み検知軸はそれぞれ支持ベースに設けられ、一方のトルク歪み検知軸が軸方向に支持ベースに平行に固定され、他方のトルク歪み検知軸がある角度で支持ベースに固定され、この角度が０度〜１８０度の間に介在し、各トルク歪み検知軸がいずれもトルク検知部を有してトルク値を検出する。
【０００７】
本発明の一実施形態の一実施例では、その角度は４５度または９０度であっでもよい。
【０００８】
本発明の他の一実施形態は、２軸式トルク測定装置であって、支持ベースと、第１のトルク歪み検知軸と、第２のトルク歪み検知軸と、を含む。第１のトルク歪み検知軸は第１のトルク検知部、および第１の支持部を有し、第１のトルク検知部が第１のトルク値を検知することに用いられ、第１の支持部が支持ベースに固定され、第１のトルク歪み検知軸が軸方向に支持ベースに平行に固定されることに用いられる。第２のトルク歪み検知軸は第２のトルク検知部および第２の支持部を有し、第２のトルク検知部が第２のトルク値を検知することに用いられ、第２の支持部が９０度の角度で支持ベースに固定され、第２の支持部により第２のトルク歪み検知軸が９０度の角度で支持ベースにネジ固定される。
【０００９】
本発明の他の実施形態の一実施例は、第１の支持部は第２の支持部に対応して嵌め込み溝が設けれられ、第２の支持部を当接・設置するために用いられる。２軸式トルク測定装置はさらにハウジングと、制御回路と、表示画面と、複数のコントロールキーと、を具備する。なお、ハウジングは支持ベースをカバーし、かつハウジングには２つの設定孔が設けられて第１のトルク歪み検知軸および第２のトルク歪み検知軸が貫通して露出する。制御回路はハウジングに設けられ、かつ第１のトルク検知部および第２のトルク検知部に接続される。表示画面はハウジングに設けられ、かつ制御回路に電気接続し、第１のトルク値および第２のトルク値を表示するために用いられる。各コントロールキーはハウジングに設けられ、かつ制御回路に電気接続し、制御回路を切り替えて第１のトルク検知部および第２のトルク検知部のトルク検知方向を選択する。
【００１０】
本発明の他の実施形態は、２軸式トルク測定装置であって、支持ベースと、第１のトルク歪み検知軸と、第２のトルク歪み検知軸とを含む。第１のトルク歪み検知軸は第１のトルク検知部および第１の支持部を有し、第１のトルク検知部が第１のトルク値を検知するために用いられ、第１の支持部が支持ベースに固定され、第１のトルク歪み検知軸が軸方向に支持ベースに平行に固定するために用いられる。第２のトルク歪み検知軸は第２のトルク検知部および第２の支持部を有し、第２のトルク検知部が第２のトルク値を検知するために用いられ、第２の支持部が４５度の角度で支持ベースに固定され、第２の支持部により第２のトルク歪み検知軸が４５度の角度で支持ベースにネジ固定される。
【００１１】
本発明の他の実施形態の一実施例では、第１の支持部には第２の支持部に対応して嵌め込み溝が設けられ、第２の支持部を当接・設置するために用いられる。２軸式トルク測定装置はハウジングと、制御回路と、表示画面と、複数のコントロールキーとを、さらに含む。なお、ハウジングは支持ベースをカバーし、かつハウジングには２つの設定孔が設けられ、第１のトルク歪み検知軸および第２のトルク歪み検知軸が貫通して露出するために用いられる。制御回路はハウジングに設けられ、かつ第１のトルク検知部、および第２のトルク検知部に接続する。表示画面はハウジングに設けられ、かつ制御回路に電気接続し、第１のトルク値および第２のトルク値を表示する。各コントロールキーはハウジングに設けられ、かつ制御回路に電気接続し、制御回路を切り替えて第１のトルク検知部および第２のトルク検知部のトルク検知方向を選択する。
【００１２】
そのため、前記実施形態および実施例の２軸式トルク測定装置は、非同軸に支持ベースに設けられた２つのトルク歪み検知軸を利用し、お互いに影響を受けずに２つのトルク値を測定することができる。また、一方のトルク歪み検知軸と支持ベースとは０度〜１８０度に介在した角度を有し、使用者はその中から付勢が便利である方向または角度を選択してトルク歪み検知軸を選択する。
【図面の簡単な説明】
【００１３】
本発明の前記およびその他の目的、特徴、メリットと実施例とをより明らかに、わかりやすくするために、図面を参照しながら説明する。
【図１】図１は本発明の一実施形態による２軸式トルク測定装置の外観を示す模式図である。
【図２Ａ】図２Ａは本発明の一実施形態による２軸式トルク測定装置の分解模式図である。
【図２Ｂ】図２Ｂは本発明の一実施形態による２軸式トルク測定装置の断面模式図である。
【図３】図３は本発明の一実施形態による２軸式トルク測定装置の内部模式図である。
【図４Ａ】図４Ａは本発明の他の一実施形態による２軸式トルク測定装置の分解模式図である。
【図４Ｂ】図４Ｂは本発明の他の一実施形態による２軸式トルク測定装置の組合せ模式図である。
【図５Ａ】図５Ａは本発明の他の一実施形態による２軸式トルク測定装置の分解模式図である。
【図５Ｂ】図５Ｂは本発明の他の一実施形態による２軸式トルク測定装置の組合せ模式図である。
【発明を実施するための形態】
【００１４】
図１、図２Ａ、図２Ｂおよび図３を参照し、それぞれは本発明の一実施形態による２軸式トルク測定装置の外観模式図、分解模式図、断面模式図および内部模式図である。２軸式トルク測定装置１００は支持ベース２００、第１のトルク歪み検知軸３００、第２のトルク歪み検知軸４００、ハウジング５００、制御回路６００、表示画面７００、および複数のコントロールキー８００を含む。
【００１５】
支持ベース２００は第１のトルク歪み検知軸３００、第２のトルク歪み検知軸４００およびハウジング５００を載せるために用いられる。支持ベース２００は複数のネジ固定孔２１０を有し、第１のトルク歪み検知軸３００、第２のトルク歪み検知軸４００、およびハウジング５００をその上に固定するために用いられ、かつ支持ベース２００そのものをデスクトップのような作業台に固定するために用いられる。
【００１６】
第１のトルク歪み検知軸３００は第１のトルク検知部３１０および第１の支持部３２０を有し、第１のトルク検知部３１０内にセンサー(不図示)が設けられて第１のトルク値を検知するために用いられ、第１の支持部３２０が第１のトルク歪み検知軸３００を支持ベース２００にネジ固定させ、第１のトルク歪み検知軸３００を軸方向に支持ベース２００に平行に固定するために用いられる。
【００１７】
第２のトルク歪み検知軸４００は第２のトルク検知部４１０および第２の支持部４２０を有し、第２のトルク検知部４１０内にセンサー(不図示)が設けれられて第２のトルク値を検知するために用いられ、第２の支持部４２０が第２のトルク歪み検知軸４００を支持ベース２００にネジ固定させ、第２のトルク歪み検知軸４００を０度〜１８０の角度で支持ベース２００にネジ固定するために用いられる。図１、図２および図３は第２のトルク歪み検知軸４００が９０度の角度で支持ベース２００に固定されることを示すが、これに限定されない。
【００１８】
ハウジング５００は支持ベース２００をネジ固定されてカバーし、第１のトルク歪み検知軸３００および第２のトルク歪み検知軸４００を保護することに用いられ、かつハウジング５００が２つの設定孔５１０を有し、それぞれ第１のトルク検知部３１０および第２のトルク検知部４１０を貫通させて設定孔５１０外に露出させる。
【００１９】
制御回路６００はハウジング５００に設けられ、かつ第１のトルク検知部３１０および第２のトルク検知部４１０に接続し、第１のトルク検知部３１０および第２のトルク検知部４１０が検知した第１のトルク値および第２のトルク値を演算することに用いられる。
【００２０】
表示画面７００はハウジング５００に設けられ、かつ制御回路６００に電気接続し、第１のトルク検知部３１０、および第２のトルク検知部４１０が検知した第１のトルク値および第２のトルク値を表示することに用いられる。
【００２１】
各コントロールキー８００はそれぞれハウジング５００に設けられ、かつ制御回路６００に電気接続し、制御回路６００を切り替えて第１のトルク検知部３１０および第２のトルク検知部４１０のトルク検知方向を選択することに用いられる。
【００２２】
本実施形態の２軸式トルク測定装置１００により、使用者は第１のトルク検知部３１０および第２のトルク検知部４１０を利用して異なる手動工具または電動工具のトルク値を検知することができ、さらに異なる工具の作業操作方向に基づいて異なる付勢角度の手動工具のトルク値を使用することができ、従って、操作者の検知動作を人間工学により適用させ、かつ第１のトルク検知部３１０および第２のトルク検知部４１０がお互いに異なる方向から作業することでお互いに干渉することを避けることもできる。また、使用者はコントロールキー８００により検知トルクを反時計回り方向または時計回り方向のうちから選択することができる。
【００２３】
第４Ａ図および第４Ｂ図を参照し、それぞれは他の一実施形態による２軸式トルク測定装置１００Ａの分解模式図および組合せ模式図である。２軸式トルク測定装置１００Ａは支持ベース２００Ａ、第１のトルク歪み検知軸３００Ａ、および第２のトルク歪み検知軸４００Ａを含む。
【００２４】
本実施形態は図面にはハウジング、表示画面、制御回路およびコントロールキーの描出を省略し、支持ベース２００Ａ、第１のトルク歪み検知軸３００Ａおよび第２のトルク歪み検知軸４００Ａの設定の説明を便利にする。
【００２５】
本実施形態の２軸式トルク測定装置１００Ａでは第１のトルク歪み検知軸３００Ａの第１の支持部３２０Ａに嵌め込み溝３２１Ａが凹設され、第２のトルク歪み検知軸４００Ａの第２の支持部４２０Ａを当接・設置するために用いられる。このように、第１のトルク歪み検知軸３００Ａおよび第２のトルク歪み検知軸４００Ａを支持ベース２００Ａに固着させ、かつ第１のトルク検知部３１０Ａおよび第２のトルク検知部４１０Ａがそれぞれトルクを検知する時にお互いに影響しないようにする。
【００２６】
第５Ａ図および第５Ｂ図を参照し、それが本発明の他の一実施形態による２軸式トルク測定装置１００Ｂの分解模式図および組合せ模式図である。２軸式トルク測定装置１００Ｂは支持ベース２００Ｂ、第１のトルク歪み検知軸３００Ｂ、および第２のトルク歪み検知軸４００Ｂを含む。
【００２７】
本実施形態は前記実施形態と同様であり、図面ではハウジング、表示画面、制御回路およびコントロールキーの描出を省略し、支持ベース２００Ｂ、第１のトルク歪み検知軸３００Ｂおよび第２のトルク歪み検知軸４００Ｂの設定の説明を便利にする。
【００２８】
本実施形態の２軸式トルク測定装置１００Ｂでは第１のトルク歪み検知軸３００Ｂの第１の支持部３２０Ｂに嵌め込み溝３２１Ｂが凹設され、第２のトルク歪み検知軸４００Ｂの第２の支持部４２０Ａを４５度の角度で設定するために用いられる。このように、使用者は４５度で設定された第２のトルク歪み検知軸４００Ｂにより異なる付勢角度の手動工具のトルク値を検知することができる。
【００２９】
そのため、本発明の２軸式トルク測定装置は以下のようなメリットを有する。
【００３０】
１. 非平行２軸に設定された第１のトルク歪み検知軸および第２のトルク歪み検知軸を利用し、異なる作業方向では第１のトルク歪み検知軸および第２のトルク歪み検知軸をお互いに干渉させず、かつ両者が検知したトルク値がお互いに影響せず、使用者が同時に異なるトルク値を検知することができ、使用がより便利になる。
【００３１】
２. なお、第２のトルク歪み検知軸と支持ベースとの設定角度が０度〜１８０度の間に存在することができ、本発明は特定の角度において使用者が力を加えやすくなり手動工具のトルク値を検知することができ、人間工学の必要性を充足し、かつ多くの複雑な付勢情況に適応することができる。
【００３２】
本発明は、ここまで説明してきた具体的実施形態に限定されることなく、当業者は、特許請求の精神や範囲を逸脱しない範囲内において、各種の補正を行うことが可能である。そのため、本発明の保護請求の範囲は以下の特許範囲を基準とする。
【符号の説明】
【００３３】
１００、１００Ａ、１００Ｂ：２軸式トルク測定装置
２００、２００Ａ、２００Ｂ：支持ベース
２１０：ネジ固定孔
３００、３００Ａ、３００Ｂ：第１のトルク歪み検知軸
３１０、３１０Ａ、３１０Ｂ：第１のトルク検知部
３２０、３２０Ａ、３２０Ｂ：第１の支持部
３２１Ａ、３２１Ｂ：嵌め込み溝
４００、４００Ａ、４００Ｂ：第２のトルク歪み検知軸
４１０、４１０Ａ、４１０Ｂ：第２のトルク検知部
４２０、４２０Ａ、４２０Ｂ：第２の支持部
５００：ハウジング
５１０：設定孔
６００：制御回路
７００：表示画面
８００：コントロールキー
【図１】
0006007292.tif 000002
【図２Ａ】
0006007292.tif 000003
【図２Ｂ】
0006007292.tif 000004
【図３】
0006007292.tif 000005
【図４Ａ】
0006007292.tif 000006
【図４Ｂ】
0006007292.tif 000007
【図５Ａ】
0006007292.tif 000008
【図５Ｂ】
0006007292.tif 000009